【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
記録装置で用いる、特色の記録剤を含む記録剤に対応した色分解データを、所定の色域について生成する色分解データ生成方法であって、
前記所定の色域のうち、特色の記録剤の色を有した色相の両側の色相が有する色のそれぞれ第１および第２の記録剤の混色により再現できる所定の色相の最大彩度の色について、前記第１、第２の記録剤、および前記特色記録剤にそれぞれ対応した色分解データを生成することを特徴とする色分解データ生成方法。
【請求項２】
前記所定の色域のうち、さらに、前記所定色相における最大彩度より低い明度の色域について、前記第１、第２の記録剤および前記特色記録剤の記録剤以外の記録剤に対応した色分解データを生成することを特徴とする請求項１に記載の色分解データ生成方法。
【請求項３】
前記特色記録剤は、Ｒｅｄインクであることを特徴とする請求項１または２に記載の色分解データ生成方法。
【請求項４】
前記特色記録剤は、Ｂｌｕｅインクであることを特徴とする請求項１ないし３のいずれかに記載の色分解データ生成方法。
【請求項５】
前記特色記録剤は、Ｇｒｅｅｎインクであることを特徴とする請求項１ないし４のいずれかに記載の色分解データ生成方法。
【請求項６】
前記特色記録剤がＲｅｄインクのとき、前記第１、第２の記録剤はそれぞれＭａｇｅｎｔａインクおよびＹｅｌｌｏｗインクであることを特徴とする請求項３ないし５のいずれかに記載の色分解データ生成方法。
【請求項７】
前記色分解データの生成は、格子点データとして色分解データを有するテーブルを用いて行うことを特徴とする請求項１ないし６のいずれかに記載の色分解データ生成方法。
【請求項８】
記録装置で用いる、特色の記録剤を含む記録剤に対応した色分解データを、所定の色域について生成する画像処理装置であって、
前記所定の色域のうち、特色の記録剤の色を有した色相の両側の色相が有する色のそれぞれ第１および第２の記録剤の混色により再現できる所定の色相の最大彩度の色について、前記第１、第２の記録剤、および前記特色記録剤にそれぞれ対応した色分解データを生成することを特徴とする画像処理装置。
【請求項９】
前記所定の色域のうち、さらに、前記所定色相における最大彩度より低い明度の色域について、前記第１、第２の記録剤および前記特色記録剤の記録剤以外の記録剤に対応した色分解データを生成することを特徴とする請求項８に記載の画像処理装置。
【請求項１０】
前記特色記録剤は、Ｒｅｄインクであることを特徴とする請求項８または９に記載の画像処理装置。
【請求項１１】
前記特色記録剤は、Ｂｌｕｅインクであることを特徴とする請求項８ないし１０のいずれかに記載の画像処理装置。
【請求項１２】
前記特色記録剤は、Ｇｒｅｅｎインクであることを特徴とする請求項８ないし１１のいずれかに記載の画像処理装置。
【請求項１３】
前記特色記録剤がＲｅｄインクのとき、前記前記第１、第２の記録剤はそれぞれＭａｇｅｎｔａインクおよびＹｅｌｌｏｗインクであることを特徴とする請求項１０ないし１２のいずれかに記載の画像処理装置。
【請求項１４】
前記色分解データの生成は、格子点データとして色分解データを有するテーブルを用いて行うことを特徴とする請求項８ないし１３のいずれかに記載の画像処理装置。
【請求項１５】
記録装置で用いる、特色の記録剤を含む記録剤に対応した色分解データを、所定の色域について生成する色分解データ生成処理を実行するプログラムであって、
前記所定の色域のうち、特色の記録剤の色を有した色相の両側の色相が有する色のそれぞれ第１および第２の記録剤の混色により再現できる所定の色相の最大彩度の色について、前記第１、第２の記録剤、および前記特色記録剤にそれぞれ対応した色分解データを生成することを特徴とするプログラム。
【手続補正２】
【補正対象書類名】明細書
【補正対象項目名】００１６
【補正方法】変更
【補正の内容】
【００１６】
本明細書において「特色」とは、広義には、基本色の記録剤であるイエロー、マゼンタ、シアンの色相とは異なる色のことを指す。また、狭義には、ＣＩＥ−Ｌ＊ａ＊ｂ＊色空間において、マゼンタ、イエロー、シアンの基本色記録剤のうちの２つの記録剤の組み合わせにより記録媒体上に表現される色再現領域よりも高い明度を表現でき、且つ上記２つの記録剤の組み合わせにより表現される色再現領域内の色相角を示す色のことを指すか、あるいは、ＣＩＥ−Ｌ＊ａ＊ｂ＊色空間において、マゼンタ、イエロー、シアンの基本色記録剤のうちの２つの記録剤の組み合わせにより記録媒体上に表現される色再現領域よりも高い明度および彩度を表現でき、且つ上記２つの記録剤の組み合わせにより表現される色再現領域内の色相角を示す色のことを指す。
【手続補正３】
【補正対象書類名】明細書
【補正対象項目名】００２２
【補正方法】変更
【補正の内容】
【００２２】
以上説明した本実施形態のプリンタは、特色インクとしてレッド、グリーン、ブルーを用いるものであり、これら特色インクは、基本色インクであるイエロー、マゼンタ、シアンのうちの２つの混色で作られる２次色の同じ色相の色よりも高い彩度および明度を表現できるものであることが好ましいが、これには限定されず、少なくとも上記２次色よりも高い明度を表現できるインクであればよい。すなわち、本実施形態において好適に用いることができる「特色」とは、ＣＩＥ−Ｌ＊ａ＊ｂ＊色空間において、マゼンタ、イエロー、シアンの基本色記録剤のうちの２つの記録剤の組み合わせにより記録媒体上に表現される色再現領域よりも明度が高く、且つ上記２つの記録剤の組み合わせにより表現される色再現領域内の色相角を示す色のことを指す。更に、上記色再現領域よりも高い彩度を表現できる色であれば尚好ましい。
【手続補正４】
【補正対象書類名】明細書
【補正対象項目名】００５０
【補正方法】変更
【補正の内容】
【００５０】
最後に、ステップＳ８０６で、以上説明した明度調整色域写像が生成に係るＬＵＴの総ての色(格子点)について行われたか否か確認し、総ての格子点について処理が終了するまでステップＳ８０２〜Ｓ８０５を繰り返す。以上の処理により、図５に示すように、第１中間写像色再現域Ｚ３０１は第２中間写像色再現域Ｚ３０２へと写像される。
【手続補正５】
【補正対象書類名】明細書
【補正対象項目名】００６８
【補正方法】変更
【補正の内容】
【００６８】
図１７は、色分解データ生成のためのＬＵＴを概念的に示す図である。このＬＵＴの格子点からなる１つの面ＲＫ‐ＹＧ−ＷＣ−ＭＢを例に採り、グラデーションもしくは色のつながりの不連続について説明する。この面は、ＲＫ(ＲとＫを結ぶラインの中間点；Ｒ，Ｇ，Ｂ＝１２８，０，０)、ＹＧ(ＹとＧを結ぶラインの中間点；Ｒ，Ｇ，Ｂ＝１２８，２５５，０)、ＷＣ(ＷとＣを結ぶラインの中間点；Ｒ，Ｇ，Ｂ＝１２８，２５５，２５５)、ＭＢ(ＭとＢを結ぶラインの中間点；Ｒ，Ｇ，Ｂ＝１２８，０，２５５)の各格子点を頂点とする面であり、その辺上および内部の各格子点のデータとして色分解データが格納されている。例えば比較例として、図６８について上述した特許文献１に記載の色分解データ生成によれば、上記の面ＲＫ‐ＹＧ−ＷＣ−ＭＢの１つの頂点ＹＧと辺ＷＣ−ＭＢ上の任意の中間点ＭＰとを結んだ直線ＹＧ‐ＭＰ上の格子点データの色分解データは、記録剤Ｒｅｄについて図２０に示すものとなる。すなわち、記録剤Ｒｅｄは、直線ＹＧ‐ＭＰの途中の使用開始点ｍから用いられる。この結果、開始点の前後で使用する記録剤の組み合わせが大きく変化する。この場合、図２１に示すように、格子点ＹＧの（色分解データによって再現される）色から格子点ＭＢおよびＷＣそれぞれの色にかけて変化する色のグラデーション画像において、グラデーションもしくは色の不連続を生じ、直線ＹＧ‐ＭＰ上の使用開始点ｍを連ねた部分で擬似輪郭ｎを発生することがある。
【手続補正６】
【補正対象書類名】明細書
【補正対象項目名】０２２８
【補正方法】変更
【補正の内容】
【０２２８】
とりわけ、色材が記録媒体表面に凝集するインク（顔料系のインクはその傾向が強い）よりも、付着したインクが記録媒体に浸透して行くインク（染料系のインクはその傾向が強い）を用いることが強く好ましい。前者では後から付着した最上部のインク層で入射光がほとんど反射されてしまうのに対し、後者では入射光が記録媒体内部に形成される各色インク層で反射されるため、立体感および透明感を訴える効果が期待できるからである。
また、特色のインクは、基本色の組み合わせにより表現される色再現領域よりも明度の高い色を表現できるインクを用いることにより、特色の追加によって色域拡大されたインパクトのある画像を効果的に表現できるため好ましい。
すなわち、例えばイエローのインク、マゼンタのインク、および特色インクを用いて画像を形成する場合において、ＣＩＥ−Ｌ＊ａ＊ｂ＊色空間上で特色インクで記録媒体上に表現される色が、少なくともイエローのインクとマゼンタのインクとの組み合わせにより記録媒体上に表現される色再現領域よりも明度が高く、かつ、特色インクで被記録媒体上に表現される色の色相角が、前記色再現領域内にあるようなレッドであることである。また、特色インクである当該レッドインクで記録媒体上に表現される色が、色再現領域よりも彩度が高い色であることが好ましい。
【手続補正７】
【補正対象書類名】明細書
【補正対象項目名】０２３９
【補正方法】変更
【補正の内容】
【０２３９】
（後段処理）
本実施形態の後段処理は、上記のとおり、プリンタにおいて用いられるインクが基本色インクＣｙａｎ、Ｍａｇｅｎｔａ、Ｙｅｌｌｏｗと特色インクＲｅｄに加え、Ｃｙａｎ、Ｍａｇｅｎｔａの染料濃度が薄い淡Ｃｙａｎ、淡Ｍａｇｅｎｔａインクであることに応じて、これら淡インク用の色分解データＬｃ、Ｌｍを含む色分解データを生成する。この場合に用いられる本実施形態の色分解テーブル(ＬＵＴ)は、上述した第１実施形態の後段処理に加えられるものであり、次のような特徴を有するものである。なお、本実施形態の色分解データは、第１実施形態の後段処理によって得られる色分解データと滑らかにつながるように求められることはもちろんである。
【手続補正８】
【補正対象書類名】明細書
【補正対象項目名】０２４８
【補正方法】変更
【補正の内容】
【０２４８】
以上説明したように、本実施形態によれば、特色インクによる色域の拡大が有効になされるとともに、基本色インクに加えて特色インクを用いる場合に、特色インクに対応する淡インクを用いることなく、ハイライト部の粒状感を低減させるような色分解ＬＵＴを作成することができる。また、色域の全体で特色が用いられることにより、上記公報のように、特色インクを用いる部分と用いない部分との境界において用いるインクの組合せに違いによって生じる擬似輪郭の問題を解消することもできる。
【手続補正９】
【補正対象書類名】明細書
【補正対象項目名】０３０７
【補正方法】変更
【補正の内容】
【０３０７】
【図１】本発明の第１の実施形態にかかるプリントシステムの構成を示すブロック図である。
【図２】本発明の一実施形態にかかるＬＵＴの格子点データを生成する処理を示すフローチャートである。
【図３】上記実施形態における特色インクＲｅｄの色相Ｒｓについて、カラーモニタの色再現域、プリンタの色再現域および最終の写像色再現域をそれぞれ示す図である。
【図４】特色インクＲｅｄによって実現される色域とパーソナルコンピュータなどにおけるモニタなどで再現される色域との比較を、明度と彩度で規定される空間において示す図である。
【図５】上記実施形態において、第１中間写像色再現域情報が示す色域に対して明度を調整し第２中間写像色再現域の境界を生成する場合の色再現域境界を示す図である。
【図６】図３に示した明度／色相写像処理の詳細を示すフローチャートである。
【図７】上記実施形態における色相変換で用いる色相入出力関数を示す図である。
【図８】上記実施形態における明度変換で用いる入出力関数を示す図である。
【図９】図２に示した明度調整色域写像処理の詳細を示すフローチャートである。
【図１０】上記実施形態の明度変換における処理対象である色と同一の色度における第１中間写像色再現域の上部境界と下部境界を計算する処理を説明する図である。
【図１１】上記実施形態の明度変換にかかわる入出力関数を示し、特に、中間明度で明度がほぼ保たれる一方、低明度部では圧縮され、さらに高明度部では伸張される様子を示す図である。
【図１２】図２の彩度写像処理の詳細を示すフローチャートである。
【図１３】上記実施形態における彩度調整値算出関数を示す図である。
【図１４】上記実施形態の彩度変換における、処理対象の色と同一の明度／同一の色相における写像色再現域の境界および第２中間写像色再現域の境界を計算する処理を説明する図である。
【図１５】上記実施形態の彩度変換で用いる入出力関数のうち、特色インクと同じ色相の高明度部における入出力関数を示す図である。
【図１６】上記実施形態の前段処理にかかるＬＵＴ生成処理による、モニタ色再現域から最終的な写像色再現域ヘの変換関係を示す図である。
【図１７】色分解ＬＵＴの概念を示す図である。
【図１８】第１実施形態の色分解データの全体によって再現される色域(Ｇａｍｕｔ)を模式的に示す図である。
【図１９】第１実施形態の色分解ＬＵＴの上記低明度側におけるＲｅｄインクの用い方の一例を表す図である。
【図２０】一従来例に係わる色分解データＬＵＴにおける所定のライン上の格子点の色分解データを示す図である。
【図２１】色材の組み合わせの変化によって生ずるグラデーション画像における擬似輪郭を説明する図である。
【図２２】第１実施形態に係わる色分解データＬＵＴにおける所定のライン上の格子点の色分解データを示す図である。
【図２３】図１８に示す色域のうち、色相Ｒの最大彩度点を含むａ＊ｂ＊平面の色域における所定色相の彩度が最も大きい色についてそれらを再現する色分解データを示す図である。
【図２４】色相Ｒの最大彩度点を特色インクＲｅｄのみで表現する場合に、図２３に示す色相と同じ色相について同様の色分解データを示す図である。
【図２５】色相Ｒ、Ｇ、Ｂそれぞれの表現を特色インクＲｅｄ、Ｇｒｅｅｎ、Ｂｌｕｅそれぞれ単独で行う場合と、上記特色を用いないで上記表現を行う場合を示す図である。
【図２６】色相Ｒのプライマリ色を特色インクＲｅｄとＭａｇｅｎｔａとの２次色で表現する場合を示す図である。
【図２７】図２６に示した色相Ｒのプライマリ色を特色ＲｅｄインクとＭａｇｅｎｔａインクとの２次色で構成する場合と、上記プライマリ色を上記特色を用いないインクシステムによって再現した場合をＬ＊ａ＊ｂ＊空間の明度Ｌ＊と彩度Ｃ＊の平面で表した図である。
【図２８】第１実施形態に係わる色相Ｒの色域Ａを図２７と同様に示す図である。
【図２９】本発明の第１の実施形態としてのハーフトーン処理部のブロック図である。
【図３０】図２９のハーフトーン処理部の動作を説明するフローチャートである。
【図３１】画像の走査の詳細を示す図である。
【図３２】累積誤差メモリの詳細を示す図である。
【図３３】印刷データの構成図を示した図である。
【図３４】ハーフトーン処理前の所定の階調値を有する画像と、ハーフトーン処理後の量子化された画像の例を示す図である。
【図３５】本発明の実施形態のドット配列パターン化処理で変換する入力レベルに対する出力パターンを示した図である。
【図３６】マルチパス記録方法を説明するための模式図である。
【図３７】本発明の実施形態で適用するマスクパターンを示した図である。
【図３８】本発明の実施形態における記録装置の斜視図である。
【図３９】本発明の実施形態における記録装置の斜視図である。
【図４０】本発明の実施形態における記録装置の機構部の斜視図である。
【図４１】本発明の実施形態における記録装置の機構部の斜視図である。
【図４２】本発明の実施形態における記録装置の断面図である。
【図４３】本発明の実施形態における電気的回路の全体構成を概略的に示すブロック図である。
【図４４】メインＰＣＢの内部構成例を示すブロック図である。
【図４５】ＡＳＩＣの内部構成を示すブロック図である。
【図４６】本発明の実施形態で適用したヘッドカートリッジにインクタンクを装着する状態示した斜視図である。
【図４７】本発明の第１の実施形態で適用したヘッドカートリッジの分解斜視図である。
【図４８】本発明の第１の実施形態で適用したヘッドカートリッジにおける記録素子基板を示す正面図である。
【図４９】本発明の第２の実施形態で適用したヘッドカートリッジの分解斜視図である。
【図５０】本発明の第２の実施形態で適用したヘッドカートリッジにおける記録素子基板を示す正面図である。
【図５１】本発明の第３の実施形態で適用したヘッドカートリッジの分解斜視図である。
【図５２】本発明の第３の実施形態で適用したヘッドカートリッジにおける記録素子基板を示す正面図である。
【図５３】本発明の実施形態で適用した記録装置における電源ＯＮ時のシーケンスを説明するためのフローチャートである。
【図５４】本発明の第１実施形態で適用した記録装置における印刷データの処理を説明するためのフローチャートである。
【図５５】本発明の第２実施形態で適用した記録装置における印刷データの処理を説明するためのフローチャートである。
【図５６】本発明の第３実施形態で適用した記録装置における印刷データの処理を説明するためのフローチャートである。
【図５７】本発明の第１実施形態で適用した記録装置における色単位のバッファの構成を説明するためのイメージ図である。
【図５８】本発明の第２実施形態で適用した記録装置における色単位のバッファの構成を説明するためのイメージ図である。
【図５９】本発明の第３実施形態で適用した記録装置における色単位のバッファの構成を説明するためのイメージ図である。
【図６０】本発明において基本的に採用されるインク色の選択ないし設計条件を説明するための明度と彩度との関係を模式的に示した図である。
【図６１】(ａ)は、所定色相の低彩度部分を特色色材を用いないで再現する場合を示す図であり、(ｂ)は、上記低彩度部分について本来特色色材によって拡大されるべき色域を有効に利用できないことを説明する図である。
【図６２】本発明の第２実施形態に係わる淡シアンおよび淡マゼンタの色分解データを含む色分解データを生成するＬＵＴの作成処理を示すフローチャートである。
【図６３】(ａ)は上記ＬＵＴ作成処理で用いられるフレームデータを説明する図であり、(ｂ)は、その一つのフレームのデータを示す図である。
【図６４】上記ＬＵＴ作成処理において、特色のＲｅｄインクの色分解データはその一部を淡(低い染料濃度の)インクであるＹｅｌｌｏｗおよび淡Ｍａｇｅｎｔａの色分解データに分解する処理を説明する図である。
【図６５】(ａ)は、上記色分解において特色Ｒｅｄインクの色に等色させる処理を説明する図であり、(ｂ)は、その等色によって得られた結果を示す図である。
【図６６】上記ＬＵＴ作成において生成されるパッチデータであって、Ｒｅｄインクと２次色淡インクの関係で生成されるパッチデータを示す図である。
【図６７】(ａ）は、上記ＬＵＴ作成処理において側色されるパッチの等明度ラインを示す図であり、(ｂ)は、上記等明度ラインごとに行われる粒状性の算出を説明する図である。
【図６８】特色を含むインクの組合せによって色域を再現する色分解データ生成の一従来例を示す図である。